(57)【要約】【課題】相手端子が端子に着座しない状態で締結されるような締結不良が生じない端子締結構造を提供する。【解決手段】突壁１１，１２，１３が周囲に配置された外部接続用端子部４と、外部接続用端子部４にネジロッド部５ｂが突出され、ネジロッド部５ｂ上に相手端子２０を配置し、相手端子２０の上からネジロッド部５ｂにナット３０を螺入する端子締結構造であって、突壁１１，１２，１３の高さＨを、相手端子２０が外部接続用端子部４に着座した状態でのみナット３０がネジロッド部５ｂに螺入できる高さに設定した。【選択図】図４
2015041507.tif 000002
【特許請求の範囲】
【請求項１】
突壁が周囲に配置された端子部と、前記端子部にネジロッド部が突出され、前記ネジロッド部上に相手端子を配置し、前記相手端子の上から前記ネジロッド部にナットを螺入する端子締結構造であって、
前記突壁の高さを、前記相手端子が前記端子部に着座した状態でのみ前記ナットが前記ネジロッド部に螺入できる高さに設定したことを特徴とする端子締結構造。
【請求項２】
請求項１に記載の端子締結構造であって、
前記突壁は、前記相手端子を所定の向きに規制する回り止め用突壁であることを特徴とする端子締結構造。
【請求項３】
請求項１又は請求項２のいずれかに記載の端子締結構造であって、
前記端子部は、バスバーに設けられ、前記突壁は、バスバーを絶縁樹脂材によりオーバーモールドして形成した絶縁樹脂部によって設けられたことを特徴とする端子締結構造。
【発明の詳細な説明】
【技術分野】
【０００１】
本発明は、ナットをネジロッド部に螺入することによって端子を締結する端子締結構造に関する。
【背景技術】
【０００２】
この種の端子締結構造は、従来より種々提案されている（特許文献１〜４参照）。かかる端子締結構造を適用したヒューズユニットの一従来例が図６〜図９に示されている。図６に示すように、ヒューズユニット５０は、所定形状のバスバー５１と、このバスバー５１の所定の外周面を被覆する絶縁樹脂部５５とを備えている。バスバー５１には、バッテリ接続用端子部５２、外部接続用端子部５３が形成されている。バッテリ接続用端子部５２及び外部接続用端子部５３は、絶縁樹脂部５５で被覆されずに露出されている。
【０００３】
バッテリ接続用端子部５２には、接続端子（図示せず）を介してバッテリポスト（図示せず）が接続される。外部接続用端子部５３には、固定ボルト５４のネジロッド部５４ｂが突設されている。バッテリ接続用端子部５２の三方向の周囲には、絶縁樹脂部５５の一部を使用して回り止め用突壁５５ａが突設されている。
【０００４】
図７（ａ）、（ｂ）に示すように、ネジロッド部５４ｂに挿入した相手端子６０の上からナット７０を螺入し、ナット７０と固定ボルト５４の締結力によって相手端子６０を固定する。相手端子６０は、回り止め用突壁５５ａによって回り止めされ、設置向きが所定の向きに規制される。
【先行技術文献】
【特許文献】
【０００５】
【特許文献１】特開２０１２−２３０８１５号公報
【特許文献２】特開２０１０−１６０９９０号公報
【特許文献３】特開２０１０−０６２０９６号公報
【特許文献４】特開２００１−２６６９６７号公報
【発明の概要】
【発明が解決しようとする課題】
【０００６】
しかしながら、前記従来の端子締結構造では、図８及び図９に示すように、相手端子６０が回り止め用突壁５５ａに乗った状態でもナット７０をネジロッド部５４ｂに螺入できる。そのため、相手端子６０が外部接続用端子部５３に着座しない状態で締結される締結不良が発生する。
【０００７】
そこで、本発明は、前記した課題を解決すべくなされたものであり、相手端子が端子に着座しない状態で締結されるような締結不良が生じない端子締結構造を提供することを目的とする。
【課題を解決するための手段】
【０００８】
本発明は、突壁が周囲に配置された端子部と、前記端子部にネジロッド部が突出され、前記ネジロッド部上に相手端子を配置し、前記相手端子の上から前記ネジロッド部にナットを螺入する端子締結構造であって、前記突壁の高さを、前記相手端子が前記端子部に着座した状態でのみ前記ナットが前記ネジロッド部に螺入できる高さに設定したことを特徴とする端子締結構造である。
【０００９】
前記突壁は、前記相手端子を所定の向きに規制する回り止め用突壁であるものを含む。
【００１０】
前記端子部は、バスバーに設けられ、前記突壁は、バスバーを絶縁樹脂材によりオーバーモールドして形成した絶縁樹脂部によって設けられたものを含む。
【発明の効果】
【００１１】
本発明によれば、相手端子が端子部に着座した状態でのみナットをネジロッド部に螺入でき、相手端子が端子部に着座していない状態では、ナットをネジロッド部に螺入できないため、締結不良が発生しない。
【図面の簡単な説明】
【００１２】
【図１】本発明の実施形態を示し、相手端子を締結する前のヒューズユニットの斜視図である。
【図２】本発明の実施形態を示し、（ａ）、（ｂ）はそれぞれ相手端子が適正に締結されたヒューズユニットの斜視図である。
【図３】本発明の実施形態を示し、（ａ）は相手端子が回り止め用突壁に全面乗り上げた状態で締結しようとした場合のヒューズユニットの平面図、（ｂ）は相手端子が回り止め用突壁に全面乗り上げた状態で締結しようとした場合のヒューズユニットの側面図である。
【図４】本発明の実施形態を示し、図３（ａ）のＡ−Ａ線拡大断面図である。
【図５】本発明の実施形態を示し、相手端子が回り止め用突壁に片側乗り上げした状態で締結しようとした場合のヒューズユニットの断面図である。
【図６】従来例を示し、相手端子を締結する前のヒューズユニットの斜視図である。
【図７】従来例を示し、（ａ）、（ｂ）はそれぞれ相手端子が適正に締結されたヒューズユニットの斜視図である。
【図８】従来例を示し、（ａ）は相手端子が締結不良状態で締結されたヒューズユニットの平面図、（ｂ）は相手端子が締結不良状態で締結されたヒューズユニットの側面図である。
【図９】従来例を示し、図８（ａ）のＢ−Ｂ線拡大断面図である。
【発明を実施するための形態】
【００１３】
以下、本発明の実施形態を図面に基づいて説明する。
【００１４】
図１〜図５は、本発明の実施形態を示す。この実施形態では、ヒューズユニット１の端子接続箇所に、本発明に係る端子締結構造が適用されている。以下、説明する。
【００１５】
図１に示すように、ヒューズユニット１は、バスバー２と、このバスバー２の所定の外周面を被覆する絶縁樹脂部１０とを備えている。バスバー２は、所定形状の導電性の金属プレートである。バスバー２には、バッテリ接続用端子部３、外部接続用端子部４、これらの間に介在される溶断部（図示せず）等が形成されている。バッテリ接続用端子部３及び外部接続用端子部４は、絶縁樹脂部１０で被覆されずに露出されている。
【００１６】
バッテリ接続用端子部３には、バッテリ連結端子（図示せず）を介してバッテリポスト（図示せず）が接続される。外部接続用端子部４には、固定ボルト５が配置されている。固定ボルト５，頭部５ａと、外周にネジ溝が形成されたネジロッド部５ｂから構成されている。頭部５ａは、絶縁樹脂部１０に埋設され、回転不能とされている。ネジロッド部５ｂは、外部接続用端子部４の孔４ａより上方に突出している。
【００１７】
絶縁樹脂部１０は、バスバー２を絶縁樹脂材によりオーバーモールドして形成されている。バッテリ接続用端子部３の三方向の周囲には、絶縁樹脂部１０の一部を使用して突壁である回り止め用突壁１１，１２，１３が突設されている。回り止め用突壁１１と回り止め用突壁１２は、互いに直交し、連続した平壁より形成されている。回り止め用突壁１３は、間隔を置いて配置された複数の直立ロッドより形成されている。
【００１８】
突壁１１，１２，１３の高さは、相手端子２０が外部接続用端子部４に全域に亘って面接触した状態（着座状態）でのみナット３０がネジロッド部５ｂに螺入できる高さＨに設定されている。換言すれば、相手端子２０が外部接続用端子部４に着座しない状態ではナット３０がネジロッド部５ｂに螺入できない高さＨに設定されている。具体的には、図４に示すように、相手端子２０が回り止め用突壁１１，１２，１３に全面乗り上げした状態や、図５に示すように、相手端子２０が回り止め用突壁１１，１２，１３に片側乗り上げした状態の場合には、ナット３０をネジロッド部５ｂに螺入できない高さＨに設定されている。
【００１９】
相手端子２０は、ＬＡ端子であり、中心にボルト貫通孔２０ａが形成されている。相手端子２０は、電線Ｗの端部に接続されている。
【００２０】
上記構成において、図２（ａ）、（ｂ）に示すように、相手端子２０を適正な向きで外部接続用端子部４上にセットし、相手端子２０の上からナット３０をネジロッド部５ｂに螺入する。この場合には、ナット３０をネジロッド部５ｂに螺入可能である。ナット３０を最後まで螺入すると、ナット３０と固定ボルト５の締結力によって相手端子２０が固定される。締結された相手端子２０は、回り止め用突壁１１，１２，１３によって回り止めされ、設置向きが所定の向きに規制される。
【００２１】
図５や図６に示すように、相手端子２０を不適正な向き（適正な向きに対してα回転した向き）で外部接続用端子部４上にセットすると、相手端子２０が回り止め用突壁１１，１２，１３の少なくとも１つに干渉し、相手端子２０が外部接続用端子部４に着座しない。すると、相手端子２０の上からナット３０をネジロッド部５ｂに螺入しようとしてもネジロッド部５ｂに螺入することができない。相手端子２０が図５に示すような全面乗り上げした場合には、ナット３０はネジロッド部５ｂに螺入できる高さよりもｈ寸法上方に位置し、螺入できない。
【００２２】
これにより、相手端子２０の向きが不適正であることを認識し、相手端子２０の向きを適正な向きに直してナット３０を締結する。以上より、相手端子２０が外部接続用端子部４に着座しない状態で締結されるような締結不良が生じない。
【００２３】
実施形態では、外部接続用端子４の周囲に配置される突壁は、回り止め用突壁１１，１２，１３であるが、本発明は回り止め目的以外の突壁であっても適用できる。
【００２４】
実施形態では、ヒューズユニット１の端子形結構造に適用されたが、本発明はヒューズユニット１以外の端子締結構造にも適用できることはもちろんである。
【符号の説明】
【００２５】
２  バスバー
４  端子部（外部接続用端子部）
５ｂ  ネジロッド部
１０  絶縁樹脂部
１１，１２，１３  回り止め用突壁（突壁）
２０  相手端子
３０  ナット
【図１】
2015041507.tif 000003
【図２】
2015041507.tif 000004
【図３】
2015041507.tif 000005
【図４】
2015041507.tif 000006
【図５】
2015041507.tif 000007
【図６】
2015041507.tif 000008
【図７】
2015041507.tif 000009
【図８】
2015041507.tif 000010
【図９】
2015041507.tif 000011